【手続補正書】
【提出日】平成18年1月17日(2006.1.17)
【手続補正１】
【補正対象書類名】明細書
【補正対象項目名】請求項２
【補正方法】変更
【補正の内容】
【請求項２】  さらに、前記オブジェクト記述手段で変換されたファイルを画像記録装置に応じた印字命令に変換して当該画像記録装置に出力するデータ変換手段を備え、
前記データ変換手段は、前記付加オブジェクトに基づき所定の画像属性を有するオブジェクトを判別し、当該オブジェクトに画像属性に応じた画像処理を施すことを特徴とする請求項１に記載の画像処理装置。
【手続補正２】
【補正対象書類名】明細書
【補正対象項目名】請求項１０
【補正方法】変更
【補正の内容】
【請求項１０】  請求項２〜請求項９のいずれか１つに記載の画像処理装置を具備し、さらに、前記データ変換手段で変換された印字命令を入力してプリント出力を実行する画像記録装置を備えたことを特徴とする画像処理システム。
【手続補正３】
【補正対象書類名】明細書
【補正対象項目名】請求項１２
【補正方法】変更
【補正の内容】
【請求項１２】  さらに、前記オブジェクト記述工程で変換されたファイルを画像記録装置に応じた所定の印字命令に変換し、前記付加オブジェクトに基づき所定の画像属性を有するオブジェクトを判別し、当該オブジェクトに画像属性に応じた画像処理を施して前記画像記録装置に出力するデータ変換工程を、
コンピュータに実行させることを特徴とする請求項１１に記載のコンピュータが実行するためのプログラム。
【手続補正４】
【補正対象書類名】明細書
【補正対象項目名】００１０
【補正方法】変更
【補正の内容】
【００１０】
本発明は、上記課題に鑑みてなされたものであり、オブジェクト記述形式のファイルを画像記録装置から高画質に出力させることが可能な画像処理装置、画像処理システム、およびコンピュータが実行するためのプログラムを提供することを目的とする。
【手続補正５】
【補正対象書類名】明細書
【補正対象項目名】００１３
【補正方法】変更
【補正の内容】
【００１３】
また、請求項２にかかる発明は、請求項１にかかる発明において、さらに、前記オブジェクト記述手段で変換されたファイルを画像記録装置に応じた印字命令に変換して当該画像記録装置に出力するデータ変換手段を備え、前記データ変換手段は、前記付加オブジェクトに基づき所定の画像属性を有するオブジェクトを判別し、当該オブジェクトに画像属性に応じた画像処理を施すことを特徴とする。
【手続補正６】
【補正対象書類名】明細書
【補正対象項目名】００１４
【補正方法】変更
【補正の内容】
【００１４】
上記発明によれば、データ変換手段は、オブジェクト記述手段で変換されたファイルを画像記録装置に応じた印字命令に変換して画像記録装置に出力し、その際、付加オブジェクトに基づき所定の画像属性を有するオブジェクトを判別し、当該オブジェクトに画像属性に応じた画像処理を施す。
【手続補正７】
【補正対象書類名】明細書
【補正対象項目名】００２９
【補正方法】変更
【補正の内容】
【００２９】
また、請求項１０にかかる発明は、請求項１〜請求項９のいずれか１つに記載の画像処理装置を具備し、さらに、前記データ変換手段で変換された印字命令を入力してプリント出力を実行する画像記録装置を備えたことを特徴とする。
【手続補正８】
【補正対象書類名】明細書
【補正対象項目名】００３０
【補正方法】変更
【補正の内容】
【００３０】
上記発明によれば、画像記録装置は、データ変換手段で変換された印字命令を入力してプリント出力を実行する。
【手続補正９】
【補正対象書類名】明細書
【補正対象項目名】００３３
【補正方法】変更
【補正の内容】
【００３３】
また、請求項１２にかかる発明は、請求項１１にかかる発明において、さらに、前記オブジェクト記述工程で変換されたファイルを画像記録装置に応じた所定の印字命令に変換し、前記付加オブジェクトに基づき所定の画像属性を有するオブジェクトを判別し、当該オブジェクトに画像属性に応じた画像処理を施して前記画像記録装置に出力するデータ変換工程を、コンピュータに実行させることを特徴とする。
【手続補正１０】
【補正対象書類名】明細書
【補正対象項目名】００３４
【補正方法】変更
【補正の内容】
【００３４】
上記発明によれば、コンピュータでプログラムを実行することにより、フォーマット変換工程で変換されたファイルを画像記録装置に応じた所定の印字命令に変換し、前記付加オブジェクトに基づき所定の画像属性を有するオブジェクトを判別し、当該オブジェクトに画像属性に応じた画像処理を施して前記画像記録装置に出力するデータ変換工程を、実現する。
【手続補正１１】
【補正対象書類名】明細書
【補正対象項目名】０１０５
【補正方法】変更
【補正の内容】
【０１０５】
【発明の効果】
以上説明したように，請求項１にかかる画像処理装置によれば、画像データを複数のオブジェクトに分解して、所定のファイル形式にフォーマット変換を行う画像処理装置において、画像データの画像属性を判定する画像属性判定手段と、画像属性判定手段の判定結果に基づき前記画像データを複数のオブジェクトに分解するオブジェクト分解手段と、前記オブジェクト分解手段で分解されたオブジェクトを所定形式で記述して所定のファイル形式のファイルにフォーマット変換するオブジェクト記述手段と、を備え、前記オブジェクト記述手段は、分解されたオブジェクトのうち所定の画像属性を有するオブジェクトに対して、属性情報を指示するための付加オブジェクトを当該オブジェクトに関連づけて記述することとしたので、画像データをファイル化する際に判定した画像属性を画像記録装置のドライバに伝達することができ、これに応じて、画像記録装置のドライバでは、画像属性に応じた適応的な画像処理を行うことができ、これにより、文字画質と絵柄画質が両立させた画像をプリント出力することが可能となり、オブジェクト記述形式のファイルを画像記録装置から高画質に出力させることが可能な画像処理装置を提供することが可能となるという効果を奏する。
【手続補正１２】
【補正対象書類名】明細書
【補正対象項目名】０１０６
【補正方法】変更
【補正の内容】
【０１０６】
また、請求項２にかかる画像処理装置によれば、請求項１にかかる画像処理装置において、さらに、前記オブジェクト記述手段で変換されたファイルを画像記録装置に応じた印字命令に変換して当該画像記録装置に出力するデータ変換手段を備え、前記データ変換手段は、前記付加オブジェクトに基づき所定の画像属性を有するオブジェクトを判別し、当該オブジェクトに画像属性に応じた画像処理を施すこととしたので、画像データをファイル化する際に判定した画像属性を画像記録装置のドライバに伝達することができ、これに応じて、画像記録装置のドライバでは、画像属性に応じた適応的な画像処理を行うことができ、これにより、文字画質と絵柄画質が両立させた画像をプリント出力することが可能となり、オブジェクト記述形式のファイルを画像記録装置から高画質に出力させることが可能な画像処理装置を提供することが可能となるという効果を奏する。
【手続補正１３】
【補正対象書類名】明細書
【補正対象項目名】０１０７
【補正方法】変更
【補正の内容】
【０１０７】
また、請求項３にかかる画像処理装置によれば、請求項１または請求項２にかかる画像処理装置において、前記付加オブジェクトは、不可視のオブジェクトであることとしたので、モニタや当該オブジェクトの記述ルールを解釈できない画像記録装置に出力した場合にも、表示やプリンタ出力に何等の問題が生じないという効果を奏する。
【手続補正１４】
【補正対象書類名】明細書
【補正対象項目名】０１０８
【補正方法】変更
【補正の内容】
【０１０８】
また、請求項４にかかる画像処理装置によれば、請求項３にかかる画像処理装置において、前記付加オブジェクトのオブジェクトサイズは、前記所定の画像属性を有するオブジェクトと同サイズであることとしたので、アプリケーションによってどのように分割されて画像記録装置のドライバに送信された場合でも、属性情報を確実に伝達することが可能となるという効果を奏する。
【手続補正１５】
【補正対象書類名】明細書
【補正対象項目名】０１１４
【補正方法】変更
【補正の内容】
【０１１４】
また、請求項１０にかかる画像処理システムにおいて、請求項２〜請求項９のいずれか１つに記載の画像処理装置を具備し、さらに、前記データ変換手段で変換されたコマンドを入力してプリント出力を実行する画像記録装置を備えたこととしたので、画像データをファイル化する際に判定した画像属性を画像記録装置のドライバに伝達することができ、これに応じて、画像記録装置のドライバでは、画像属性に応じた適応的な画像処理を行うことができ、これにより、文字画質と絵柄画質が両立させた画像をプリント出力することが可能となり、オブジェクト記述形式のファイルを画像記録装置から高画質に出力させることが可能な画像処理システムを提供することが可能となるという効果を奏する。
【手続補正１６】
【補正対象書類名】明細書
【補正対象項目名】０１１５
【補正方法】変更
【補正の内容】
【０１１５】
また、請求項１１にかかるコンピュータが実行するためのプログラムによれば、コンピュータでプログラムを実行することにより、画像データの画像属性を判定する画像属性判定工程と、画像属性判定工程の判定結果に基づき前記画像データを複数のオブジェクトに分解するオブジェクト分解工程と、前記オブジェクト分解工程で分解されたオブジェクトを所定形式で記述して所定のファイル形式のアイルにフォーマット変換し、その際、分解されたオブジェクトのうち所定の画像属性を有するオブジェクトに対して、属性情報を指示するための付加オブジェクトを当該所定の画像属性を有するオブジェクトに関連づけて記述するオブジェクト記述工程と、を実現することとしたので、画像データをファイル化する際に判定した画像属性を画像記録装置のドライバに伝達することができ、これに応じて、画像記録装置のドライバでは、画像属性に応じた適応的な画像処理を行うことができ、これにより、文字画質と絵柄画質が両立させた画像をプリント出力することが可能となり、オブジェクト記述形式のファイルを画像記録装置から高画質に出力させることが可能なコンピュータが実行するためのプログラムを提供することが可能となるという効果を奏する。
【手続補正１７】
【補正対象書類名】明細書
【補正対象項目名】０１１６
【補正方法】変更
【補正の内容】
【０１１６】
また、請求項１２にかかるコンピュータが実行するためのプログラムによれば、コンピュータでプログラムを実行することにより、さらに、前記オブジェクト記述工程で変換されたファイルを画像記録装置に応じた所定の印字命令に変換し、前記付加オブジェクトに基づき所定の画像属性を有するオブジェクトを判別し、当該オブジェクトに画像属性に応じた画像処理を施して前記画像記録装置に出力するデータ変換工程を、コンピュータに実行させることとしたので、画像データをファイル化する際に判定した画像属性を画像記録装置のドライバに伝達することができ、これに応じて、画像記録装置のドライバでは、画像属性に応じた適応的な画像処理を行うことができ、これにより、文字画質と絵柄画質が両立させた画像をプリント出力することが可能となり、オブジェクト記述形式のファイルを画像記録装置から高画質に出力させることが可能なコンピュータが実行するためのプログラムを提供することが可能となるという効果を奏する。